【事件の表示】
　特願２００７−１９２３４８「通信システムのパケット伝送方法」拒絶査定不服審判事件〔平成２０年　５月　１日出願公開、特開２００８−１０４１５２〕について、次のとおり審決する。
【結　論】
　本件審判の請求は、成り立たない。
【理　由】
１．手続の経緯と本願発明
　本願は、平成１６年３月１１日（パリ条約による優先権主張２００３年３月１３日、韓国）に出願した特願２００４−６９５４１号の一部を平成１９年７月２４日に新たな特許出願としたものであって、平成２２年５月１９日付けで拒絶査定がなされ、これに対し、平成２２年７月２６日に拒絶査定に対する審判請求がなされるとともに同日付けで手続補正がなされ、その後、前置審査において平成２２年１０月１５日付けで最後の拒絶理由が通知され、これに対し、平成２３年１月６日付けで手続補正がなされたものであって、その請求項１に係る発明（以下、「本願発明」という。）は、平成２３年１月６日付け手続補正書の特許請求の範囲の請求項１に記載された以下のとおりのものと認める。
　
「無線通信システムでの集合パケットを生成する方法であって、
　所定のデータ長さを有する少なくとも二つのデータパケットを受信する過程と、
　前記データパケットのうち、サービス品質に対する情報が同一である少なくとも二つのデータパケットを結合する過程と、
　前記結合がされたパケットにヘッダを付加して一つの集合パケットを生成する過程と、
を含み、
　前記集合パケットを形成する各データパケットのヘッダは、該当データパケットの長さに対する情報と目的地アドレスとを含むことを特徴とする集合パケット生成方法。」
　
２．引用発明および周知技術
Ａ．引用発明
　前置審査における平成２２年１０月１５日付け拒絶理由通知(以下、「前置拒絶理由通知」という。)に引用された、国際公開第２００２／２７９８９号(以下、「引用例」という。)は、「LOGICAL ADDRESSING OF MOBILE UNITS IN A WLAN WITH MULTICAST PACKET ADDRESSING」（当審仮訳：「マルチキャスト・パケットのアドレス指定によるＷＬＡＮにおける移動ユニットの論理アドレス指定」）に関し、図面とともに以下の事項が記載されている。
　
ア．「One aspect of the invention is shown in Fig 5 as a high level flow diagram illustrating one embodiment of a method of operating a packet communications network including at least one access point and a plurality of remote or mobile wireless units. This method utilizes the multicast packet-addressing scheme that overcomes the drawbacks of individual addressing which leads to gaps in transmission. 
 At block 500, the invention provides that two of the mobile units 15 become associated with the access point AP and transfer packets of data thereto destined for other mobile units. At block 510, at least two distinct sequences of packets addressed to at least two mobile units are received at the single access point. 
 At block 520, a multicast packet frame is formed at the access point with data from both the sending mobile units. The packet frame consists of a multicast address that represents the group including the address of the destination mobile units. The packet frame includes a data field that includes unicast packets with an address of each of the at least two destination mobile units. At block 530, the multicast packet frame is transmitted so that the at least two mobile units receive the transmission.」（第１４頁第３〜１７行）
（当審仮訳：「本発明の１つの態様が、少なくとも１つのアクセス・ポイントと複数の遠隔即ち無線移動端末とを備えるパケット通信ネットワークの作動方法の一実施形態を表す上位概念フロー図として、図５に示される。この方法は、送信において空隙をもたらす個別アドレス指定の欠点を克服するマルチキャストのパケット・アドレス指定方式が利用する。
　本発明は、ブロック５００において、２つの移動ユニット１５がアクセス・ポイントＡＰに関連するようにし、他の移動ユニットに仕向けられたデータ・パケットをそれに向けて転送するようにする。ブロック５１０においては、少なくとも２つの移動ユニットにアドレス指定された少なくとも２つの別個のシーケンスのパケットが、単一のアクセス・ポイントにおいて受信される。
　ブロック５２０において、マルチキャストのパケット・フレームは、両方の送信移動ユニットからのデータを有するアクセス・ポイントで形成される。パケット・フレームはマルチキャスト・アドレスから成り、そのマルチキャスト・アドレスが宛先移動ユニットのアドレスを備えるグループを表わす。パケット・フレームは、少なくとも２つの宛先移動ユニットそれぞれのアドレスを有するユニキャストのパケットを含むデータ領域を備える。ブロック５３０において、マルチキャストのパケット・フレームが送信され、少なくとも２つの移動ユニットがこの送信を受信する。」）
　
イ．「At each mobile unit, the gain in capacity for telephone or voice exchanges is possible because the AP is packet and not bandwidth limited for voice packet processing. It can be shown that if we pack K voice packets into one multicast packet, the number of phone calls within a wireless cell can increase 2K/(K+2) fold. Practically a 75% increase or more could be achieved. Since in IEEE 802.11, multicast packets are not acknowledged every such large packet is sent twice to guaranty delivery. Note that all ACK's from the phones to the AP are eliminated and the AP does not have to contend for access for each small voice packet it sends. These savings in packet count and contention for the channel compensate for the small delay penalty at the AP due to the packing process. 
 Figure 6 illustrates the formation of a multicast packet, 70 in highly diagrammatic form, from multiple sources 61, 62, 63, and 64 each transmitting a unicast packet 66, 67, 68, and 69, respectively to the AP 71.」（第１４頁第１８行〜第１５頁第６行）
（当審仮訳：「各移動ユニットにおいては、ＡＰが音声パケット処理に関して、帯域幅ではなくパケットで制限されるので、電話即ち音声交換のための容量の増加が可能である。Ｋ音声パケットが１つのマルチキャストのパケットにパックされる場合には、無線セル内の通話数を２Ｋ／（Ｋ＋２）倍に増加できることが分かる。実際には、７５％の増加又はそれ以上の達成が可能である。ＩＥＥＥ８０２．１１においては、マルチキャスト・パケットが承認されないため、これらあらゆる「巨大」パケットは、搬送を保証するために２度送付される。電話からＡＰへのＡＣＫが全て除去され、該ＡＰは、ＡＰによって送付される小音声のパケット毎に接続を求めて争う必要がない。パケット数及びチャネル争いにおけるこれら節約により、ＡＰにおけるパック処理に起因する小さな遅延による不利益が補填される。
　図６には、ユニキャストのパケット６６、６７、６８、６９のそれぞれがＡＰ７１にそれぞれ送信されている多重ソース６１、６２、６３、６４からのマルチキャストのパケット７０の編成が、極めて模式的に表示されている。」）
　
ウ．「1. A method of operating a packet data communications network including a plurality of access points and a plurality of remote mobile wireless units, at least two of the mobile units being capable of communicating with at least one of the access points, and when located within a predetermined range there from, being associated with a single one of such access points, comprising: 
establishing an association between the mobile units and the access points utilizing a packet frame addressing protocol including a multicast address; 
receiving in one of the access points at least two distinct sequences of packets addressed to at least two mobile units respectively associated with the access point; 
forming a frame in the access point, with a multicast address including the address of at least two of the mobile units, and including in the data field of the frame unicast packets addressed to each of at least two of the mobile units; and 
transmitting the frame to the mobile units by the one access point. 
2. A method as defined in claim 1 , wherein the wireless communications link in the data communications network is an IEEE 802.11 network. 
3. A method as defined in claim 1, when the mobile unit includes a Windows CE operating system with a Winsock API. 
4. A method as defined in claim 1 , wherein the mobile unit includes a bar code reader. 
5. A method as defined in claim 1, wherein the mobile unit includes a voice communications device. 
6. A method as defined in claim 2, wherein the multicast address is defined at the IEEE 802.11 MAC frame level. 
7. A method as defined in claim 6, wherein the data field of the IEEE 802.11 MAC frame includes at least two IP packets with different unicast IP addresses. 」（第２０頁第２行〜第２１頁第４行）
（当審仮訳：１．複数のアクセス・ポイント及び複数の遠隔無線移動ユニットを含み、前記移動ユニットの少なくとも２つが、前記アクセス・ポイントの少なくとも１つと通信することができ、アクセス・ポイントから所定の領域内に位置するときに、前記アクセス・ポイントの単一のものに関連付けされるようにした、パケット・データの通信ネットワークを作動させる方法であって、
マルチキャスト・アドレスを含むパケット・フレームのアドレス指定プロトコルを利用して前記移動ユニットと前記アクセス・ポイントとの間の関連付けを確立すること、
前記アクセス・ポイントの１つにおいて、前記アクセス・ポイントにそれぞれ関連付けられた少なくとも２つの移動ユニットにアドレス指定された少なくとも２つの別個のシーケンスのパケットを受信すること、
前記アクセス・ポイントにおいて、少なくとも２つの前記移動ユニットのアドレスを含むマルチキャスト・アドレスを有するフレームを形成し、少なくとも２つの移動ユニットのそれぞれにアドレス指定されたユニキャスト・パケットを、該フレームのデータ領域に備えさせるようにすること、及び
前記１つのアクセス・ポイントによって前記フレームを前記移動ユニットに送信すること、
を含む方法。
２．前記データ通信ネットワークにおける前記無線通信リンクがＩＥＥＥ８０２．１１ネットワークであることを特徴とする請求項１に記載の方法。
３．前記移動ユニットが、ウィンソックＡＰＩを備えたウィンドウズ（登録商標）ＣＥのオペレーティング・システムを含む請求項１に記載の方法。
４．前記移動ユニットがバーコード・リーダーを含むことを特徴とする請求項１に記載の方法。
５．前記移動ユニットが音声通信装置を含むことを特徴とする請求項１に記載の方法。
６．前記マルチキャスト・アドレスがＩＥＥＥ８０２．１１のＭＡＣフレーム・レベルで定義されることを特徴とする請求項２に記載の方法。
７．前記ＩＥＥＥ８０２．１１のＭＡＣフレームの前記データ領域が、異なるユニキャストＩＰアドレスを備えた少なくとも２つのＩＰパケットを含むことを特徴とする請求項６に記載の方法。）
　
　上記引用例の記載及び図面ならびにこの分野における技術常識を考慮すると、
・上記引用例の摘記事項ア〜ウには、「少なくとも１つのアクセス・ポイントと複数の遠隔即ち無線移動端末とを備えるパケット通信ネットワーク」（摘記事項ア）におけるパケット通信方法が記載されており、
・特に、アクセス・ポイントにおけるパケット生成に関連して、「少なくとも２つの移動ユニットにアドレス指定された少なくとも２つの別個のシーケンスのパケットが、単一のアクセス・ポイントにおいて受信され」、「マルチキャストのパケット・フレームは、両方の送信移動ユニットからのデータを有するアクセス・ポイントで形成され」、「パケット・フレームは、少なくとも２つの宛先移動ユニットそれぞれのアドレスを有するユニキャストのパケットを含むデータ領域を備え」（いずれも摘記事項ア）、「前記アクセス・ポイントにおいて、少なくとも２つの前記移動ユニットのアドレスを含むマルチキャスト・アドレスを有するフレームを形成し」（摘記事項ウ）と記載されているが、これらは、マルチキャストのパケット・フレーム生成方法に関する記載と言え、
・「ＩＥＥＥ８０２．１１においては、マルチキャスト・パケットが承認されないため」（摘記事項イ）や「前記マルチキャスト・アドレスがＩＥＥＥ８０２．１１ＭＡＣのフレーム・レベルで定義される」（摘記事項ウ）の記載から、引用例のパケット通信はＩＥＥＥ８０２．１１プロトコルで行われると認められるが、該ＩＥＥＥ８０２．１１プロトコルにおけるパケットのヘッダが、目的地アドレス以外にもパケットの長さに対する情報等のアドレス以外の情報を含むことは技術常識であるから、上記の「マルチキャスト・アドレスを有するフレーム」がマルチキャスト・アドレスを含むヘッダを有すること、および、上記の「ユニキャストのパケット」のヘッダが当該パケットの長さに対する情報と目的地アドレス（２つの宛先移動ユニットそれぞれのアドレス）を含むことは明らかであり、
　
　以上を総合すると、上記引用例には、以下の発明（以下、「引用発明」という。）が開示されている。
　
「少なくとも１つのアクセス・ポイントと複数の遠隔即ち無線移動端末とを備えるパケット通信ネットワークでの、マルチキャストのパケット・フレームを生成する方法であって、
　少なくとも２つの移動ユニットにアドレス指定された少なくとも２つの別個のシーケンスのパケットが、単一のアクセス・ポイントにおいて受信され、
　マルチキャストのパケット・フレームが形成され、パケット・フレームは、少なくとも２つの宛先移動ユニットそれぞれのアドレスを有するユニキャストのパケットを含むデータ領域を備え、
　パケット・フレームはマルチキャスト・アドレスを含むヘッダを有するフレームを形成し、
　パケット・フレームを形成するユニキャストのパケットのヘッダは、当該パケットの長さに対する情報と宛先移動ユニットそれぞれのアドレスとを含むパケット・フレーム生成方法。」
　
Ｂ．周知技術
（１）周知例１
　例えば、前置拒絶理由通知に引用された特開２００１−２９８４７７号公報（以下、「周知例１」という。）には「パケット交換装置およびパケット交換方法」に関して以下の記載（摘記事項エ）がある。
　
エ．「【００３４】第３の効果は、トラヒックにおいて高いスループットを得ることができることである。その理由として次の点が挙げられる。ブロックを単一のＱｏＳのクラスから形成することを考えた場合、ＱｏＳを保証するために、高優先ＦＩＦＯのパケット数がブロック単位のパケット数に満たない場合でも次々に送出しなければならない。この場合、ブロックに満たない部分へは空のパケットを詰めるなどしてデータを送出することになり、交換機からの出力平均遅延が増大する。これらに対し、本実施例では、ＱｏＳの異なるパケットを１つのブロックとして形成することで、ブロックを形成するパケット数を単位パケット数に近づけることができ、上記に挙げたブロック単位故の欠点を補い、高いスループットを得ることができる。」（第５頁、段落００３４）
　
（２）周知例２
　また、特開２０００−２３６３３２号公報（以下、「周知例２」という。）には、「パケット交換装置及びその制御方法」に関して以下の記載（摘記事項オ）がある。
　
オ．「【００４１】図３と図４は、ブロックのフレームフォーマットを示す。フレームのペイロードには複数のパケットを格納する。
【００４２】図３に示す例では、同一の出力ポートを宛先とし、かつ、同一のサービスクラスに属したパケットのみから同一のブロックを構成している。
【００４３】図４は、同一の出力ポートを宛先としているパケットならば、例えサービスクラスが異なっていても、同一のブロックを構成している場合を示している。ここで、同一のブロックを構成するパケットのサービスクラス比率は、要求する帯域などからあらかじめ決められた比率に近いものにするように構成することも可能である。」（第５頁、段落００４１〜００４３）
　
（３）周知例３
　また、国際公開第９７／２３９７５号（以下、「周知例３」という。）には、「マイクロフレーム多重送信装置」に関して次の記載（摘記事項カ）がある。
　
カ．「以下、この図２， 図３，図４を用いて、本発明の実施形態１を説明する。
　・・・（中略）・・・
　さて、入力されたマイクロフレームは、インタフェース回路２０３を介 して、入力順に振り分け回路２０４に入力される。振り分け回路２０４は、入力される振り分け情報を用いて、入力されたマイクロフレームを振り分ける。本装置は基本的に交換装置（図示せず）などのコネクションのサービス種別を認識できる装置と共に使用されることを想定している。このため、一般的には交換機本体等から上記振り分け情報を通知されることとなる。 
　この振り分け情報は、コネクションまたはマイクロフレーム単位のサービス条件に従うものとなる。実施形態１の構成では、サービス条件として、破棄許容時間、マイクロフレーム破棄率、または、多重方式例えば最大マイクロフレーム多重数 kを、多重処理回路２０７、およびセル破棄監視回路２０８毎に分離して設定することで、マイクロフレームまたはコネクション単位で振り分けることができる。または、交換機などであらかじめSWにより物理的に入力の振り分けを行ったうえで、本装置に入力することも考えられる。　・・・（中略）・・・
　このように、各取り出し回路２０６は、バッファ空きの状態から、最初に入力したマイクロフレームの滞留時間が、Ｔ１を越える前に、あらかじめ設定されたフレーム数が入力した時点で入力マイクロフレームを取り出し、多重処理回路２０７へ引き渡す。もし、停滞時間がＴ１を越えた時点 で、あらかじめ設定されたフレーム数のマイクロフレームが入力されていなくても、入力マイクロフレームを全て多重処理回路２０７へ引き渡す。 
　多重処理回路２０７は、引き渡されたマイクロフレームを所定のフォ一 マツトに従って多重処理を行い、標準のＡＴＭ形式にした後、送信待ちバッファ２０９へ格納する機能をもつ。」（第１０頁第７行〜第１２頁第２行）
　
　上記周知例１〜３の各摘記事項には、パケットを用いた通信において複数のパケットを結合して集合パケットを生成する方法が記載されており、摘記事項エの「ＱｏＳのクラス」、摘記事項オの「サービスクラス」、摘記事項カの「サービス種別」あるいは「サービス条件」は、いずれも「サービス品質に対する情報」と言えるものである。
　そして、上記周知例１，２には、結合するパケットのサービス品質に対する情報を同一にすること、及び、異ならせること、が記載されており、上記周知例３には、結合するパケットのサービス品質に対する情報を同一にすること、が記載されていると認められる。
　
　したがって、上記周知例１〜３に記載されているように、
　「パケットを用いた通信において、複数のパケットを結合して集合パケットを生成する際に、サービス品質に対する情報が同一であるパケットを結合させること。」（以下、「周知技術」という。）は周知である。
　
３．対比
　本願発明と引用発明とを対比するに、
ａ．引用発明の「少なくとも１つのアクセス・ポイントと複数の遠隔即ち無線移動端末とを備えるパケット通信ネットワーク」は、明らかに本願発明の「無線通信システム」に含まれる。
ｂ．引用発明の「マルチキャストのパケット・フレーム」は、「少なくとも２つの宛先移動ユニットそれぞれのアドレスを有するユニキャストのパケットを含むデータ領域を備え」ているのであるから、明らかに複数のユニキャストのパケットが集合して形成されるものであって、本願発明の「集合パケット」に相当する。
ｃ．引用発明の「少なくとも２つの移動ユニットにアドレス指定された少なくとも２つの別個のシーケンスのパケット」がそれぞれ「所定の長さ」を有することは自明であるから、本願発明の「所定のデータ長さを有する少なくとも二つのデータパケット」に含まれる。
ｄ．引用発明の「単一のアクセス・ポイントにおいて受信され」は、明らかに本願発明の「受信する過程」に含まれる。
ｅ．まず、引用発明の、
　「マルチキャストのパケット・フレームが形成され、パケット・フレームは、少なくとも２つの宛先移動ユニットそれぞれのアドレスを有するユニキャストのパケットを含むデータ領域を備え、
　パケット・フレームはマルチキャスト・アドレスを含むヘッダを有するフレームを形成し」
　の構成に関して考察するに、
　上記「データ領域」で「少なくとも２つの宛先移動ユニットそれぞれのアドレスを有するユニキャストのパケット」が結合されていることは明らかであり、また、上記「データ領域」はパケットのペイロード部分を構成しており、該構成されたペイロードに対してアドレス等のヘッダが付加されることは技術常識であるから、
　引用発明の上記構成は、
「少なくとも２つの宛先移動ユニットそれぞれのアドレスを有するユニキャストのパケットを結合する過程と、
　前記結合がされたパケットにマルチキャスト・アドレスを含むヘッダを付加して一つのマルチキャストのパケット・フレームを生成する過程」
　と言うことができる。
　そして、この構成を本願発明の
「前記データパケットのうち、サービス品質に対する情報が同一である少なくとも二つのデータパケットを結合する過程と、
　前記結合がされたパケットにヘッダを付加して一つの集合パケットを生成する過程」
　と比較するに、
ｅ１．引用発明の「少なくとも２つの宛先移動ユニットそれぞれのアドレスを有するユニキャストのパケット」は、明らかに「単一のアクセス・ポイントにおいて受信され」たパケット、すなわち「前記データパケット」であるから、
　引用発明の「少なくとも２つの宛先移動ユニットそれぞれのアドレスを有するユニキャストのパケットを結合する過程」と、
　本願発明の「前記データパケットのうち、サービス品質に対する情報が同一である少なくとも二つのデータパケットを結合する過程」とは、
　「前記データパケットのうち、少なくとも二つのデータパケットを結合する過程」で共通する。
ｅ２．引用発明の「マルチキャスト・アドレスを含むヘッダ」は本願発明の「ヘッダ」に含まれ、また、上記ｂ．に記したように、引用発明の「マルチキャストのパケット・フレーム」は本願発明の「集合パケット」に相当するから、
　引用発明の「前記結合がされたパケットにマルチキャスト・アドレスを含むヘッダを付加して一つのマルチキャストのパケット・フレームを生成する過程」は、
　本願発明の「前記結合がされたパケットにヘッダを付加して一つの集合パケットを生成する過程」に相当する。
ｆ．引用発明の「パケット・フレームを形成するユニキャストのパケットのヘッダ」は、明らかに本願発明の「前記集合パケットを形成する各データパケットのヘッダ」に相当する。
ｇ．引用発明の「宛先移動ユニットそれぞれのアドレス」は本願発明の「目的地アドレス」に含まれる。
　
　以上をまとめると、結局、両者は以下の点で一致ないし相違している。
　
（一致点）
「無線通信システムでの集合パケットを生成する方法であって、
　所定のデータ長さを有する少なくとも二つのデータパケットを受信する過程と、
　前記データパケットのうち、少なくとも二つのデータパケットを結合する過程と、
　前記結合がされたパケットにヘッダを付加して一つの集合パケットを生成する過程と、
を含み、
　前記集合パケットを形成する各データパケットのヘッダは、該当データパケットの長さに対する情報と目的地アドレスとを含むことを特徴とする集合パケット生成方法。」
　
（相違点）
　「結合する過程」で結合される「少なくとも二つのパケット」が、
　本願発明では「サービス品質に対する情報が同一である」「少なくとも二つのパケット」であるのに対し、
　引用発明では単に「少なくとも二つのパケット」である点。
　
４．検討
　上記相違点につき検討する。
　まず、上記「２．引用発明および周知技術」項中の「Ｂ．周知技術」の項に記したように、「パケットを用いた通信において、複数のパケットを結合して集合パケットを生成する際に、サービス品質に対する情報が同一であるパケットを結合させること。」は周知技術である。
　ここで、引用発明の「マルチキャストのパケット・フレーム」は、上記「３．対比」の項中の「ｂ．」において検討したように、パケットを用いた通信における集合パケットと言える。
　加えて、引用例の摘記事項イやＦＩＧ．６の記載によれば、上記「マルチキャストのパケット・フレーム」を構成する「少なくとも２つの宛先移動ユニットそれぞれのアドレスを有するユニキャストのパケット」は、電話通信における音声パケットを想定しており、このような音声パケットの通信が、例えばリアルタイム性や一定の帯域幅などのような特定のサービス品質を備えるべきことは技術常識であることも勘案すれば、上記引用発明の「結合する過程」における「少なくとも二つのパケット」である「少なくとも２つの宛先移動ユニットそれぞれのアドレスを有するユニキャストのパケット」を、本願発明のように「サービス品質に対する情報が同一である」「少なくとも二つのパケット」とすることは、上記周知技術を単に適用することにより、当業者が容易になし得たものである。
　
　そして、本願発明が奏する効果も引用発明および周知技術から容易に予測出来る範囲内のものである。
　
５．むすび
　以上のとおり、本願発明は、上記引用例に記載された発明および周知技術に基づいて、当業者が容易に発明をすることができたものと認められるから、特許法第２９条第２項の規定により特許を受けることができない。
　
　よって、結論のとおり審決する。